(57)【要約】【課題】広範囲に移動するオブジェを備え、集客効果のあるアトラクション装置を提供する。【解決手段】遊技施設にある物１２の上に設置する上部開放で長尺の溝形支持部材１３と、溝形支持部材１３の内部に長手方向に沿って設けられている案内レール１４と、案内レール１４に沿って第１の動力源１５によって走行可能な台車１６と、台車１６に搭載されたオブジェ１９と、第１の動力源１５を含む全体の電気機器を制御する制御装置４０とを有し、溝形支持部材１３内に案内レール１４及び台車１６が収納されている。【選択図】図１
0003122146.tif 000002
【実用新案登録請求の範囲】
【請求項１】
遊技施設に設置し特定のオブジェに動作を与えて客を集めるためのアトラクション装置であって、
前記遊技施設にある物の上に設置する上部開放で長尺の溝形支持部材と、
前記溝形支持部材の内部に長手方向に沿って設けられている案内レールと、
前記案内レールに沿って第１の動力源によって走行可能な台車と、
前記台車に搭載された前記オブジェと、
前記第１の動力源を含む全体の電気機器を制御する制御装置とを有し、
前記溝形支持部材内に前記案内レール及び前記台車が収納されていることを特徴とするアトラクション装置。
【請求項２】
請求項１記載のアトラクション装置において、前記案内レールは前記溝形支持部材の内側に設けられている対となる溝形材からなって、該対となる溝形材の対向する溝内に前記台車の車輪が転動可能に配置されていることを特徴とするアトラクション装置。
【請求項３】
請求項２記載のアトラクション装置において、前記台車には第２の動力源によって駆動されるターンテーブルが設けられ、該ターンテーブル上に前記オブジェが設けられていることを特徴とするアトラクション装置。
【請求項４】
請求項３記載のアトラクション装置において、前記第１、第２の動力源は減速機能を有する中空軸モータが使用され、前記第１の動力源となる中空軸モータに前記対向する溝形材の溝内に配置される前記台車の車輪の駆動軸が直接取付けられ、前記第２の動力源となる中空軸モータに前記ターンテーブルの垂直駆動軸が直接取付けられていることを特徴とするアトラクション装置。
【請求項５】
請求項１〜４のいずれか１項に記載のアトラクション装置において、前記遊技施設はパチンコ屋であって、前記溝形支持部材は、並べて配置された複数の遊技台が背中合わせに配置された遊技台支持機構の上部の幅方向中央に配置されていることを特徴とするアトラクション装置。
【請求項６】
請求項５記載のアトラクション装置において、前記オブジェは前記遊技台に使用されているキャラクターと実質的に同一なものが使用されていることを特徴とするアトラクション装置。
【考案の詳細な説明】
【技術分野】
【０００１】
本考案は、遊技施設に設置して、特定のオブジェに動作を与えるアトラクション装置に関する。
【背景技術】
【０００２】
従来の遊技施設、例えば、パチンコ屋において、各パチンコ台（遊技台）の透明板のゲームに支障にならない場所に、遊技者の注意を促すための広告スペースが設けられている（例えば、特許文献１参照）。また、各パチンコ台に人形等の表示部材を可動自在に取付け、視覚的な興趣を高めているものもある（例えば、特許文献２参照）。
【０００３】
【特許文献１】特開平６−２９６７４５号公報
【特許文献２】特開平７−２５５９３７号公報
【考案の開示】
【考案が解決しようとする課題】
【０００４】
しかしながら、特許文献１及び２の考案では、遊技台毎に広告スペース及び表示部材等のオブジェを設けなければならないという問題があった。また、特許文献２の考案では、パチンコ台のキャラクターに合わせた表示部材を設ける場合には、キャラクターが変わるとパチンコ台の人形をそれぞれ取り替える必要があるという問題もあった。
【０００５】
本考案はかかる事情に鑑みてなされたもので、広範囲に移動するオブジェを備え、集客効果のあるアトラクション装置を提供することを目的とする。
【課題を解決するための手段】
【０００６】
前記目的に沿う本考案に係るアトラクション装置は、遊技施設に設置し特定のオブジェに動作を与えて客を集めるためのアトラクション装置であって、
前記遊技施設にある物の上に設置する上部開放で長尺の溝形支持部材と、
前記溝形支持部材の内部に長手方向に沿って設けられている案内レールと、
前記案内レールに沿って第１の動力源によって走行可能な台車と、
前記台車に搭載された前記オブジェと、
前記第１の動力源を含む全体の電気機器を制御する制御装置とを有し、
前記溝形支持部材内に前記案内レール及び前記台車が収納されている。
ここで、電気機器としては、第１の動力源の他に、必要に応じて、リミットスイッチ、ロータリーエンコーダ、原点スイッチ、ランプ、スピーカ、ディスプレイ等がある。
【０００７】
本考案に係るアトラクション装置において、前記案内レールは前記溝形支持部材の内側に設けられている対となる溝形材からなって、該対となる溝形材の対向する溝内に前記台車の車輪が転動可能に配置されてもよい。
本考案に係るアトラクション装置において、前記台車には第２の動力源によって駆動されるターンテーブルが設けられ、該ターンテーブル上に前記オブジェが設けられてもよい。
本考案に係るアトラクション装置において、前記第１、第２の動力源は減速機能を有する中空軸モータが使用され、前記第１の動力源となる中空軸モータに前記対向する溝形材の溝内に配置される前記台車の車輪の駆動軸が直接取付けられ、前記第２の動力源となる中空軸モータに前記ターンテーブルの垂直駆動軸が直接取付けられてもよい。
【０００８】
本考案に係るアトラクション装置において、前記遊技施設はパチンコ屋であって、前記溝形支持部材は、並べて配置された複数の遊技台が背中合わせに配置された遊技台支持機構の上部の幅方向中央に配置されてもよい。
本考案に係るアトラクション装置において、前記オブジェは前記遊技台に使用されているキャラクターと実質的に同一なものが使用されてもよい。
【考案の効果】
【０００９】
請求項１〜６に記載のアトラクション装置においては、遊技施設にある物の上を案内レールに沿って走行可能な台車にオブジェが搭載され、オブジェが移動可能であるので、広範囲に人の目を引くことができる。また、溝形支持部材内に案内レール及び台車が収納されているので、遊技者から案内レール及び台車を隠すことができる。
特に、請求項２記載のアトラクション装置においては、案内レールが溝形支持部材の内側に設けられている対となる溝形材からなって、対となる溝形材の対向する溝内に台車の車輪が転動可能に配置されているので、簡単な構造とすることができる。
【００１０】
請求項３記載のアトラクション装置においては、台車に第２の動力源によって駆動されるターンテーブルが設けられ、ターンテーブル上にオブジェが設けられているので、オブジェを回転又は回動させることができる。
請求項４記載のアトラクション装置においては、対向する溝形材の溝内に配置される台車の車輪の駆動軸に第１の動力源となる減速機能を有する中空軸モータが直接取付けられ、ターンテーブルの垂直駆動軸に第２の動力源となる減速機能を有する中空軸モータが直接取付けられているので、簡単に製造することができる。
【００１１】
請求項５記載のアトラクション装置においては、遊技施設がパチンコ屋であって、溝形支持部材が、並べて配置された複数の遊技台が背中合わせに配置された遊技台支持機構の上部の幅方向中央に配置されているので、遊技台の上部を有効利用できる。
請求項６記載のアトラクション装置においては、オブジェには遊技台に使用されているキャラクターと実質的に同一なものが使用されているので、使用したい遊技台を見付け易くなる。
【考案を実施するための最良の形態】
【００１２】
続いて、添付した図面を参照しつつ、本考案を具体化した実施の形態につき説明し、本考案の理解に供する。
ここで、図１は本考案の一実施の形態に係るアトラクション装置を設置した遊技台の斜視図、図２は同アトラクション装置の部分正断面図、図３は同アトラクション装置の一部省略側断面図、図４は同アトラクション装置の部分平断面図、図５は同アトラクション装置の別のオブジェの説明図、図６は同アトラクション装置の制御装置の説明図である。
【００１３】
図１〜図６を参照して、本考案の一実施の形態に係るアトラクション装置１０について説明する。
アトラクション装置１０は、遊技施設の一例であるパチンコ屋に設置され、特定のオブジェの一例である車の模型１９に動作を与えて客を集めるために使用されるものである。図１に示すように、パチンコ屋では、通常複数、例えば５台の遊技台の一例であるパチンコ台１１が背中合わせに配置されており（いわゆる、島）、アトラクション装置１０は、このように配置された一群のパチンコ台１１から構成される遊技台支持機構（物の一例）１２の上部の幅方向中央に設置され、各パチンコ台１１で遊んでいる遊技者から車の模型１９が見えるようになっている。
【００１４】
図２〜図４に示すように、アトラクション装置１０は、遊技台支持機構１２上に設置される上部開放で長尺の溝形支持部材１３と、溝形支持部材１３の内部に長手方向に沿って設けられる案内レール１４と、案内レール１４に沿って第１の動力源の一例である減速機能を有する中空軸モータ１５によって走行可能な台車１６と、台車１６に設けられ第２の動力源の一例である減速機能を有する中空軸モータ１７によって駆動されるターンテーブル１８と、ターンテーブル１８を介して台車１６に搭載された車の模型１９と、中空軸モータ１５、１７を含む全体の電気機器を制御する制御装置４０とを有している。以下、それぞれについて詳しく説明する。
【００１５】
溝形支持部材１３は、例えば、ステンレス製の板材（鋼板であってもよい。以下同じ）を断面コ字状に折り曲げて形成され、遊技台支持機構１２の上部に載置される底面部２０と、底面部２０の両側にそれぞれ立設する側壁部２１と、両側壁部２１の上端部で内側に折り曲げられて設けられる折り曲げ部（リップ）２２とを備え、上部が開放するように配置されている。溝形支持部材１３は、遊技台支持機構１２の長手方向の長さと実質的に同じ長さ（例えば、２〜１４ｍ）に形成され、幅が遊技台支持機構１２の上部と実質的に同じ幅（例えば、１０〜５０ｃｍ）に形成されている。また、溝形支持部材１３の長手方向両端部には、溝形支持部材１３の両端部を閉塞する側蓋２３が取付けられている。
【００１６】
案内レール１４は、溝形支持部材１３の両側壁部２１の内側にそれぞれ設けられる対となる溝形材２４を有している。各溝形材２４は、例えば、ステンレス製の板材を断面コ字状に折り曲げて形成され、側壁部２１に取付けられ垂直方向に配置される底面部２５と、底面部２５の上側端部に立設する側壁部２６と、底面部２５の下側端部に立設し、先部に内側に折り曲げられた折り曲げ部２７（リップ）が設けられた側壁部２８とを備えている。対となる溝形材２４は開口側を向かい合わせにして、すなわち、溝形材２４の溝２９を対向させて配置されている。
【００１７】
台車１６は、例えば、ステンレス製の板材を用いて作られ、断面コ字状に折り曲げて形成される天井部３０と、天井部３０の両側に立設された側壁部３１とを有し、この左右両側の側壁部３１を連結する底板部３０ａを有している台車本体１６ａを備えている。更に、台車本体１６ａは前後方向両側に側蓋３１ａを有している。また、台車１６には、台車本体１６ａの両側壁部３１に跨って、両端部にそれぞれ外側にウレタン又はゴム製のタイヤが装着された車輪３２が設けられた２つの車軸３３、３４が所定の間隔を有し、ラジアル軸受３５を介して取付けられ、しかも、４つの車輪３２は、対となる溝形材２４の対向する溝２９内に隙間を有して転動可能に配置されている。更に、車軸３３には、台車本体１６ａの一方の側壁部３１の内側に設けられた中空軸モータ１５が直接取付けられて駆動軸となっており、中空軸モータ１５によって車軸３３が回転駆動することにより、台車１６が案内レール１４に沿って走行可能となっている。ここで、案内レール１４及び台車１６は、溝形支持部材１３内に収納されている。また、案内レール１４の長手方向両端部にはそれぞれ、第１及び第２のリミットスイッチ４１、４２（図６参照）が設けられ、台車１６が案内レール１４の端部まで走行した際には、各リミットスイッチ４１、４２と連動して、アトラクション装置１０の制御装置４０が中空軸モータ１５を逆回転させて、台車１６の進行方向を逆方向に変えている。
【００１８】
また、台車本体１６ａの天井部３０内側には、中空軸モータ１７が取付けられており、中空軸モータ１７には、ターンテーブル１８の下部に設けられた垂直駆動軸３６が直接取付けられ、中空軸モータ１７の駆動によりターンテーブル１８が回転又は回動可能となっている。なお、中空軸モータ１７（１５も同様）は取付け穴（ねじ穴であってもよい）１７ａを有する取付けフランジを介して台車本体１６ａに取付けられている。また、アトラクション装置１０では、模型１９の前側が常に進行方向となるように、台車１６が案内レール１４の端部まで走行した際に、アトラクション装置１０の制御装置４０によって中空軸モータ１７を駆動させ垂直駆動軸３６が１８０度回動するようになっている。これによって、台車１６の進行方向と模型１９の向き（正面側）とを同じにすることができる。ここで、案内レール１４の両端部での中空軸モータ１７の回動方向は、それぞれ逆方向となっており、中空軸モータ１７の図示しない電気配線が絡まないようになっている。また、台車本体１６ａの天井部３０と、ターンテーブル１８との間には、スラスト軸受３７が配置されている。更に、ターンテーブル１８に搭載される模型１９は、パチンコ台１１に使用されているキャラクター（車の写真）と実質的に同一となっている。また、図５に示すように、オブジェをターンテーブル１８上に配置された送風機３８による送風によって膨らむ猫型のバルーン３９としてもよい。なお、バルーンの形状は、動物型、人型、乗り物等どのようなものであってもよい。
【００１９】
中空軸モータ１５、１７は、図示しない商用電源及び制御装置４０と図示しない電気配線で接続されて、各中空軸モータ１５、１７が回転駆動及び回動駆動のいずれか一方又は双方を行うことができるようになっている。ここで、図２及び図３に示すように、台車本体１６ａの底板部３０ａには、台車１６の移動によって中空軸モータ１５、１７にそれぞれ接続される電気配線が絡まないようにするためのケーブルベア（登録商標）４７が取付けられている。なお、ケーブルベア４７を台車本体１６ａの底板部３０ａに取付けたが、側壁部３１に取付けてもよく、この場合には、台車本体１６ａに底板部３０ａを設けなくてもよい。また、ケーブルベア４７を使用せずに、電気配線を取付けてもよい。
【００２０】
図６に示すように、アトラクション装置１０の電気機器を制御する制御装置４０は、例えば、図示しないマイクロコンピュータ（中央演算処理装置）と図示しないメモリ（記憶素子）を内蔵したプログラマブルコントローラを使用している。制御装置４０は、例えば、第１及び第２のリミットスイッチ４１、４２、原点スイッチ（リミットスイッチ）４３、及びタイマー４４等の入力機器と、中空軸モータ１５、１７、ランプ４５及びスピーカー４６等の出力機器とが接続され、入力機器からの入力信号を図示しない入力回路で取り込み、予めプログラムされた条件で図示しない出力回路をオン／オフすることで出力機器を制御している。
【００２１】
次に、アトラクション装置１０の使用方法及び作動状態について説明する。
まず、台車１６と模型１９の進行方向を合わせた溝形支持部材１３を遊技台支持機構１２の上に載置する。スタート信号によって中空軸モータ１５を駆動させて、車軸３３を回転させ台車１６を、例えば、毎分２〜２０ｍ程度の速度でゆっくり移動させる。台車１６が溝形支持部材１３の一端部まで移動した際には、第１のリミットスイッチ４１がオンとなる。制御装置４０は、第１のリミットスイッチ４１からのオンの入力信号を入力回路で取り込み、プログラムされた条件で出力回路をオン／オフする出力信号を出力機器に出力する。ここで、制御装置４０は、各リミットスイッチ４１、４２からの入力信号によって、中空軸モータ１５の回転を逆方向とし、台車１６の進行方向を逆方向とする。ターンテーブル１８を設けて回動させる場合には、中空軸モータ１７を、例えば、毎分１〜６０回転で１８０度回動して、ターンテーブル１８に搭載された模型１９の正面が台車１６の進行方向を向くようにしている。更に、台車１６が溝形支持部材１３の他端部まで移動した際には、中空軸モータ１７を逆転して模型１９の正面を進行方向に向ける。この場合、１８０度回転したことの検知は原点スイッチ４３で０点（原点）検知を行う。これらの動作を繰り返して行うことにより、模型１９に動作を与えることができる。
【００２２】
本考案は、前記した実施の形態に限定されるものではなく、本考案の要旨を変更しない範囲での変更は可能であり、例えば、前記したそれぞれの実施の形態や変形例の一部又は全部を組み合わせて本考案のアトラクション装置を構成する場合も本考案の権利範囲に含まれる。
例えば、前記実施の形態のアトラクション装置において、ターンテーブル上にオブジェを配置したが、中空軸モータによって直接駆動する垂直駆動軸にオブジェを取付けてもよい。また、オブジェを回動又は回転駆動させない場合には、第２の動力源を設けなくてもよい。なお、オブジェとしては、模型及びバルーンの他に、人形、ぬいぐるみ、看板等であってもよく、可動式であってもよい。
【００２３】
また、前記実施の形態では、台車が案内レールの端部に到達した際にターンテーブルを１８０度回動させたが、第２の動力源にスリップリング等を取付けることにより第２の動力源に取付けたポンプ等の電気機器を電気配線が絡まることなく回転させることもできる。また、溝形支持部材の上部に第２の動力源の垂直駆動軸、軸受等が移動可能なスリットを備えた蓋を取付けて、溝形支持部材を補強すると共に、溝形支持部材に埃等が侵入し難くしてもよい。更に、第１及び第２のリミットスイッチの代わりに近接スイッチを使用して、シーケンス制御を行ってもよい。
遊技施設としてパチンコ屋（スロットマシンのみの店も含む）としたが、ゲームセンター等でもよく、遊技台をパチンコ台としたが、スロット台、ゲーム機等としてもよい。また、遊技施設（例えば、パチンコ屋）に配置された飾り棚、本棚等の上部にアトラクション装置を配置してもよい。
更に、前記実施の形態においては、台車の上にターンテーブルを設けているが、ターンテーブルの代わりに大型の載置台（回転不能）を設け、例えば、並んだパチンコ台（島）の両側から突出する大きさのオブジェを設けてもよい。
【図面の簡単な説明】
【００２４】
【図１】本考案の一実施の形態に係るアトラクション装置を設置した遊技台の斜視図である。
【図２】同アトラクション装置の部分正断面図である。
【図３】同アトラクション装置の一部省略側断面図である。
【図４】同アトラクション装置の部分平断面図である。
【図５】同アトラクション装置の別のオブジェの説明図である。
【図６】同アトラクション装置の制御装置の説明図である。
【符号の説明】
【００２５】
１０：アトラクション装置、１１：パチンコ台、１２：遊技台支持機構、１３：溝形支持部材、１４：案内レール、１５：中空軸モータ、１６：台車、１６ａ：台車本体、１７：中空軸モータ、１７ａ：取付け穴、１８：ターンテーブル、１９：模型、２０：底面部、２１：側壁部、２２：折り曲げ部、２３：側蓋、２４：溝形材、２５：底面部、２６：側壁部、２７：折り曲げ部、２８：側壁部、２９：溝、３０：天井部、３０ａ：底板部、３１：側壁部、３１ａ：側蓋、３２：車輪、３３、３４：車軸、３５：ラジアル軸受、３６：垂直駆動軸、３７：スラスト軸受、３８：送風機、３９：バルーン、４０：制御装置、４１：第１のリミットスイッチ、４２：第２のリミットスイッチ、４３：原点スイッチ、４４：タイマー、４５：ランプ、４６：スピーカー、４７：ケーブルベア
【図１】
0003122146.tif 000003
【図２】
0003122146.tif 000004
【図３】
0003122146.tif 000005
【図４】
0003122146.tif 000006
【図５】
0003122146.tif 000007
【図６】
0003122146.tif 000008